(57)【特許請求の範囲】
【請求項１】
ＩＴＯ、金または銀を主材料として構成される陽極と、
マグネシウムまたはカルシウムを主材料として構成される陰極と、
前記陽極と前記陰極との間に設けられ、ブロックコポリマーを含む有機ＥＬ層とを有し、
前記ブロックコポリマーは、発光性を有する発光体を備える発光部と、正孔輸送性を有する正孔輸送体を備える正孔輸送部、および電子輸送性を有する電子輸送体を備える電子輸送部を有するキャリア輸送部とを備え、
前記発光部は、前記正孔輸送部と前記電子輸送部との間に配置され、かつ前記正孔輸送部は、前記陽極と前記発光部との間に配置され、さらに前記電子輸送部は、前記陰極と前記発光部との間に配置され、
前記ブロックコポリマーの一端部と前記陽極とが結合し、前記ブロックコポリマーの他端部と前記陰極とが結合しており、
前記一端部に、ＳＨ基で構成される第１の末端基を備え、前記他端部に、アミノ基またはアルコキシ基で構成される第２の末端基を備えることを特徴とする発光素子。
【請求項２】
前記正孔輸送部は、前記電子輸送部に対して親和性が低い請求項１に記載の発光素子。
【請求項３】
前記ブロックコポリマーは、前記正孔輸送体および前記電子輸送体を主鎖から分枝する側鎖に有する請求項１または２に記載の発光素子。
【請求項４】
前記ブロックコポリマーは、前記発光体を主鎖から分枝する側鎖に有する請求項１ないし３のいずれかに記載の発光素子。
【請求項５】
前記発光部は、前記キャリア輸送部に対して親和性が低い請求項１ないし４のいずれかに記載の発光素子。
【請求項６】
発光性を有する発光体を備える発光部と、正孔輸送性を有する正孔輸送体を備える正孔輸送部、および電子輸送性を有する電子輸送体を備える電子輸送部を有するキャリア輸送部とを含むブロックコポリマーを用意する第１の工程と、
前記ブロックコポリマーの一端部を陽極と結合させ、前記ブロックコポリマーの他端部を陰極と結合させる第２の工程とを有し、
前記陽極は、ＩＴＯ、金または銀を主材料として構成され、前記陰極は、マグネシウムまたはカルシウムを主材料として構成されており、
前記ブロックコポリマーは、前記発光部が前記正孔輸送部と前記電子輸送部との間に配置され、かつ前記正孔輸送部が前記陽極と前記発光部との間に配置され、さらに前記電子輸送部が前記陰極と前記発光部との間に配置され、前記一端部がＳＨ基で構成される第１の末端基を備え、前記他端部がアミノ基またはアルコキシ基で構成される第２の末端基を備えることを特徴とする発光素子の製造方法。
【請求項７】
請求項１ないし５のいずれかに記載の発光素子を備えることを特徴とする発光装置。
【請求項８】
請求項７に記載の発光装置を備えることを特徴とする電子機器。
【発明の詳細な説明】
【技術分野】
【０００１】
本発明は、発光素子、発光素子の製造方法、発光装置および電子機器に関するものである。
【背景技術】
【０００２】
発光性有機層（有機エレクトロルミネッセンス層）が、陰極と陽極との間に設けられた有機エレクトロルミネッセンス（ＥＬ）素子は、無機ＥＬ素子に比べて印加電圧を大幅に低下させることができ、多彩な発光色の素子が作製可能である。
この有機ＥＬ素子は、具体的には、陽極と陰極を有し、この陽極と陰極の間に有機ＥＬ層が設けられて構成される。
この有機ＥＬ層は、正孔輸送層、発光層および電子輸送層の３層で構成されるのが一般的であり、さらに他の層が付加されて構成される場合もある（例えば、特許文献１参照。）。
【０００３】
ところで、有機ＥＬ層において、隣接する層同士で構成材料の溶剤への溶解度が近似していると、上層を形成する際の溶媒（溶剤）によって下層の構成材料が溶出し、下層と上層との界面付近で構成材料が混和してしまう。これにより、当該層の性能が損なわれ、発光効率が低下する。
このため、有機ＥＬ層を形成する際には、上層と下層とで、溶剤への溶解度が異なる材料が、一般に選択される。このため、採用できる材料が制限され、デバイス特性を優先した材料の選択が困難であるという問題がある。
また、各層を、それぞれ別々の塗布・乾燥工程で形成するため、工程数が多くなり、生産性を上げるのが難しい。
【０００４】
【特許文献１】特開２００５−３０２６６７号公報
【発明の開示】
【発明が解決しようとする課題】
【０００５】
本発明に係る発光素子等を採用することにより、上記の課題を解決することが可能となる。
【課題を解決するための手段】
【０００６】
このような目的は、下記の本発明により達成される。
本発明に係る発光素子は、ＩＴＯ、金または銀を主材料として構成される陽極と、
マグネシウムまたはカルシウムを主材料として構成される陰極と、
前記陽極と前記陰極との間に設けられ、ブロックコポリマーを含む有機ＥＬ層とを有し、
前記ブロックコポリマーは、発光性を有する発光体を備える発光部と、正孔輸送性を有する正孔輸送体を備える正孔輸送部、および電子輸送性を有する電子輸送体を備える電子輸送部を有するキャリア輸送部とを備え、
前記発光部は、前記正孔輸送部と前記電子輸送部との間に配置され、かつ前記正孔輸送部は、前記陽極と前記発光部との間に配置され、さらに前記電子輸送部は、前記陰極と前記発光部との間に配置され、
前記ブロックコポリマーの一端部と前記陽極とが結合し、前記ブロックコポリマーの他端部と前記陰極とが結合しており、
前記一端部に、ＳＨ基で構成される第１の末端基を備え、前記他端部に、アミノ基またはアルコキシ基で構成される第２の末端基を備えることを特徴とする。
ブロックコポリマーが１分子中に、発光部とキャリア輸送部とを有するので、効率のよいキャリア輸送および発光が生じる。また、有機ＥＬ層が１層で、発光層およびキャリア輸送層の機能を併せもつようになるため、層同士の界面の乱れによる特性劣化を回避することができる。このようなことから、高い発光効率を有する発光素子が得られる。
また、上記の発光素子において、前記キャリア輸送部は、正孔輸送性を有する正孔輸送体を備える正孔輸送部と、電子輸送性を有する電子輸送体を備える電子輸送部と、を含み、前記発光部は、前記正孔輸送部と前記電子輸送部との間に配置されていることにより、発光効率をより向上させることができる。
上記の発光素子において、前記正孔輸送部は、前記第１の電極と前記発光部との間に配置されていることにより、発光効率をより向上させることができる。
さらに、上記の発光素子において、前記ブロックコポリマーの他端部は、前記第２の電極と結合していることにより、有機ＥＬ層と第２の電極との密着性を向上させることができる。これにより、第２の電極から発光部に効率よくキャリアが注入されるようになる。
【０００８】
上記の発光素子において、前記正孔輸送部は、前記電子輸送部に対して親和性が低いことが好ましい。
これにより、各部同士が会合するのを防止または抑制することにより、キャリアの各部間のホッピングを抑制して発光部における電子と正孔との再結合の確率を向上させることができる。
【０００９】
上記の発光素子において、前記ブロックコポリマーは、前記前記正孔輸送体および前記電子輸送体を主鎖から分枝する側鎖に有することが好ましい。
側鎖に前記正孔輸送体および前記電子輸送体を有するブロックコポリマーは、後述するリビング重合により比較的容易に合成することができる。また、ブロックコポリマーの分子量の制御が容易であるという利点も有する。
【００１０】
上記の発光素子において、前記ブロックコポリマーは、前記発光体を主鎖から分枝する側鎖に有することが好ましい。
側鎖に発光体を有するブロックコポリマーは、後述するリビング重合により比較的容易に合成することができる。また、ブロックコポリマーの分子量の制御が容易であるという利点も有する。
【００１１】
上記の発光素子において、前記発光部は、前記キャリア輸送部に対して親和性が低いことが好ましい。
これにより、各部同士が会合するのを防止または抑制して、有機ＥＬ層（発光素子）の発光効率をより確実に向上させることができる。
【００１２】
本発明に係る発光素子の製造方法は、発光性を有する発光体を備える発光部と、正孔輸送性を有する正孔輸送体を備える正孔輸送部、および電子輸送性を有する電子輸送体を備える電子輸送部を有するキャリア輸送部とを含むブロックコポリマーを用意する第１の工程と、
前記ブロックコポリマーの一端部を陽極と結合させ、前記ブロックコポリマーの他端部を陰極と結合させる第２の工程とを有し、
前記陽極は、ＩＴＯ、金または銀を主材料として構成され、前記陰極は、マグネシウムまたはカルシウムを主材料として構成されており、
前記ブロックコポリマーは、前記発光部が前記正孔輸送部と前記電子輸送部との間に配置され、かつ前記正孔輸送部が前記陽極と前記発光部との間に配置され、さらに前記電子輸送部が前記陰極と前記発光部との間に配置され、前記一端部がＳＨ基で構成される第１の末端基を備え、前記他端部がアミノ基またはアルコキシ基で構成される第２の末端基を備えることを特徴とする。
これにより、発光素子を簡易な工程で製造し得る。
【００１４】
本発明に係る発光装置は、本発明の発光素子を備えることを特徴とする。
これにより、信頼性の高い発光装置が得られる。
本発明に係る電子機器は、本発明の発光装置を備えることを特徴とする。
これにより、信頼性の高い電子機器が得られる。
【発明を実施するための最良の形態】
【００１５】
以下、本発明の発光素子、発光素子の製造方法、発光装置および電子機器を添付図面に示す好適な実施形態について説明する。
＜ブロックコポリマー＞
まず、本発明の発光素子について説明する前に、この発光素子が備える有機ＥＬ層を構成するブロックコポリマーについて説明する。
発光素子において、有機ＥＬ層は、陽極と陰極との間に設けられ、陽極から正孔が、陰極から電子が、それぞれ注入されることにより発光する。
【００１６】
＜第１実施形態＞
まず、本発明において用いられるブロックコポリマーの第１実施形態について説明する。
図１は、ブロックコポリマーの第１実施形態の構成を示す模式図である。
図１に示すブロックコポリマー１は、次の順序で連結された正孔輸送部２、発光部３および電子輸送部４を備え、主鎖の正孔輸送部２側の末端に第１の末端基５が結合している。
【００１７】
なお、ブロックコポリマー１は、結合する電極に対応して末端が適宜選択される。例えば、電極がＩＴＯ、金または銀等の材料で構成されている場合は、図１のように主鎖の第１の末端基５がＳＨ基であるものが好ましい。
【００１８】
ブロックコポリマー１が結合する電極が陽極の場合は、正孔輸送部２は、第１の末端基５と発光部３との間にあることが好ましい。なお、電極と結合する第１の末端基５は、複数有していてもよい。複数の第１の末端基５を有することにより、電極とブロックコポリマー１との結合は、より強固なものとなる。
正孔輸送部２は、正孔輸送性（キャリア輸送性）を有する正孔輸送体（図１中Ｈで示す）２１を含む構造単位２２を複数連結して構成されている。
【００１９】
ここで、正孔輸送性（正孔輸送機能）とは、正孔を発光部３に輸送（伝達）または注入する機能のことを言う。発光部３における電子と正孔との再結合確率を向上させるためには、正孔輸送部２は、正孔を輸送する能力が高い一方で、電子輸送部４から発光部３に供給された電子を正孔輸送部２内に散逸させないことが好ましい。
正孔輸送部２において正孔輸送体２１は、主鎖から分枝する側鎖に導入されていてもよく、主鎖の一部を構成していてもよいが、図１に示すように、側鎖に導入されているのが好ましい。側鎖に正孔輸送体２１を有する正孔輸送部２は、後述するリビング重合により比較的容易に合成することができる。
【００２０】
正孔輸送体２１としては、例えば、トリアリールアミン系化合物、ベンジジン系化合物、カルバゾール系化合物、スチルベン系化合物、フルオレン系化合物、フタロシアニン系化合物、ポリフィリン系化合物等の骨格を含むものが挙げられるが、トリアリールアミン骨格を含むものが好ましい。トリアリールアミン骨格を含む正孔輸送体２１は、特に正孔輸送性に優れ、かつ電子輸送性が比較的低いことから好ましい。
トリアリールアミン骨格を含む正孔輸送体２１の具体例としては、例えば、下記化１〜化５に示す構造の残基（前記構造から水素原子を１つ除いたもの）が挙げられる。
【００２１】
【化１】
0004793009.tif 000002
【００２２】
【化２】
0004793009.tif 000003
【００２３】
【化３】
0004793009.tif 000004
【００２４】
【化４】
0004793009.tif 000005
【００２５】
【化５】
0004793009.tif 000006
【００２６】
なお、例えば、ブロックコポリマー１の溶解性あるいはブロックコポリマー１の合成の際の溶解性、または正孔輸送性等を調整するために、これらの化合物には、適宜１または複数の置換基がさらに導入されていてもよい。
構造単位２２の数ｍは、発光部３のキャリア輸送性、構造単位３２の数ｎ、電子輸送部４の有無、電子輸送部４の電子輸送性、構造単位４２の数ｐ、ブロックコポリマー１の配向、ブロックコポリマー１を挟む電極間の距離、またはブロックコポリマー１の膜厚等を適宜考慮して設定することができる。
【００２７】
正孔輸送部２において、正孔輸送体２１の数（構造単位２２の数ｍ）は、特に限定されないが、例えば、１００個以上であるのが好ましく、３００個以上であるのがより好ましい。
発光部３は、発光性を有する発光体（図１中Ｌで示す）３１を含む構造単位３２を複数連結して構成されている。
【００２８】
発光部３に、後述する電子輸送部４から電子が、正孔輸送部２から正孔がそれぞれ供給（注入）されると、発光体３１において正孔と電子とが再結合することによりエキシトン（励起子）が生成し、エキシトンが基底状態に戻る際に、発光体３１から蛍光やりん光という形でエネルギーが放出される。
発光部３において発光体３１は、主鎖から分枝する側鎖に導入されていてもよく、主鎖の一部を構成していてもよいが、図１に示すように、側鎖に導入されているもの方が、後述するリビング重合等を用いることにより形成が比較的容易であり、リビング重合を用いることにより構造単位３２の数ｎを比較的容易に制御ができる。
発光体３１としては、例えば、各種色素、各種金属錯体等の骨格を含むものが挙げられる。これらの骨格を含む発光体３１は、特に発光性が高いことから好ましい。
これらの骨格を含む発光体３１の母体として用いられる化合物の具体例としては、例えば、下記化６〜化１１に示す化合物が挙げられる。
【００２９】
【化６】
0004793009.tif 000007
【００３０】
【化７】
0004793009.tif 000008
【００３１】
【化８】
0004793009.tif 000009
【００３２】
【化９】
0004793009.tif 000010
【００３３】
【化１０】
0004793009.tif 000011
【００３４】
【化１１】
0004793009.tif 000012
【００３５】
なお、これらの構造には、１または複数の置換基が導入されていてもよい。
また、このような発光部３は、構造単位３２の数ｎは、発光部３のキャリア輸送性、正孔輸送部２の有無、構造単位２２の数ｍ、電子輸送部４の有無、電子輸送部４の電子輸送性、構造単位４２の数ｐ、ブロックコポリマー１の配向、ブロックコポリマー１を挟む電極間の距離、ブロックコポリマー１の膜厚等を適宜考慮して設定することができるが、ここでは、ブロックコポリマー１を挟む電極間の適切な距離を確保するために、発光体３１の数（構造単位３２の数ｎ）は、特に限定されないが、１００個以上あるいは、３００個以上となるようにしている。
【００３６】
電子輸送部４は、電子輸送性（キャリア輸送性）を有する電子輸送体（図１中Ｅで示す）４１を含む構造単位４２を複数連結して構成されている。
ここで、電子輸送性（電子輸送機能）とは、電子を発光部３に輸送（伝達）または注入する機能のことを言い、電子輸送部４は、電子を輸送する能力が高い一方で、正孔輸送部３から発光部２に供給された正孔を電子輸送部４内に散逸させないことが好ましい。これにより、発光部３において、電子と正孔とをより確実に再結合させることができる。
電子輸送部４において電子輸送体４１は、主鎖から分枝する側鎖に導入されていてもよく、主鎖の一部を構成していてもよいが、図１に示すように、側鎖に導入されているのが好ましい。側鎖に電子輸送体４１を有する電子輸送部４は、後述するリビング重合により比較的容易に合成することができる。
【００３７】
電子輸送体４１としては、例えば、オキサジアゾール系化合物、トリアゾール系化合物、チオフェン系化合物、アルミニウムキノリノール錯体等キノリン系化合物、ピラジン系化合物、ベンゾキノン系化合物等の骨格を含むものが挙げられるが、オキサジアゾール骨格またはトリアゾール骨格を含むものが好ましい。オキサジアゾール骨格やトリアゾール骨格を含む電子輸送体４１は、特に電子輸送性に優れ、かつ正孔輸送性が比較的低いことから好ましい。
オキサジアゾール骨格を含む電子輸送体４１の具体例としては、例えば、下記化１２〜化１５に示す構造の残基が挙げられる。
【００３８】
【化１２】
0004793009.tif 000013
【００３９】
【化１３】
0004793009.tif 000014
【００４０】
【化１４】
0004793009.tif 000015
【００４１】
【化１５】
0004793009.tif 000016
【００４２】
また、トリアゾール骨格を含む電子輸送体４１の具体例としては、例えば、下記化１６および化１７に示す構成の残基が挙げられる。
【００４３】
【化１６】
0004793009.tif 000017
【００４４】
【化１７】
0004793009.tif 000018
【００４５】
なお、これらの構造には、１または複数の置換基が導入されていてもよい。
また、特に、トリアゾール骨格を含む電子輸送体４１を用いることにより、発光部３を省略して、正孔輸送部２を発光部として機能させることができるようになる。これにより、ブロックコポリマー１の構成の簡略化を図ることができるため、ブロックコポリマー１の合成コストの低減、ひいては発光素子の製造コストの低減に寄与する。
【００４６】
構造単位４２の数ｐは、発光部３のキャリア輸送性、構造単位３２の数ｎ、正孔輸送部２の有無、正孔輸送部２の正孔輸送性、構造単位２２の数ｍ、ブロックコポリマー１の配向、ブロックコポリマー１を挟む電極間の距離、またはブロックコポリマー１の膜厚等を適宜考慮して設定することができる。
電子輸送部４において、電子輸送体４１の数（構造単位４２の数ｐ）は、特に限定されないが、例えば、１００個以上であるのが好ましく、３００個以上であるのがより好ましい。
【００４７】
ブロックコポリマー１は、高真空下でマスク蒸着法等の蒸着法、あるいはブロックコポリマー１を含有する液体材料をインクジェット法あるいはスピンコート法等により塗布した後、乾燥することにより製膜することが可能であり、従来のように正孔輸送層、発光層および電子輸送層を順次積層する工程よりは、少ない工程で正孔輸送層、発光層および電子輸送層の機能を併せもつ有機ＥＬ層を形成することができる。
【００４８】
また、発光部３と正孔輸送部２あるいは電子輸送部４等のキャリア輸送部とが１分子内で連結しているので、キャリア輸送部から発光部３のキャリア注入の障壁が低減する。
さらに、ブロックコポリマー１のように第１の末端基５として挟む電極の少なくとも１つの電極に選択的に結合するものを選択すれば、ブロックコポリマー１が結合した側の電極からのキャリア注入の効率も向上する。
【００４９】
本実施形態において具体的に説明すれば、ブロックコポリマー１の正孔輸送部２側の末端には、第１の末端基５としてＳＨ基が導入されているが、ＳＨ基は、金、銀等の金属材料やＩＴＯなどの金属酸化物材料との相互作用が大きい。
このため、ブロックコポリマー１を挟む電極のうち陽極を、上記のようなＳＨ基と親和力の大きい材料で構成すれば、ブロックコポリマー１が硫黄原子を介して陽極に結合し、正孔輸送部２が電子輸送部４よりも陽極に近接することになる。これにより、陽極から正孔輸送部２を介して発光部３に効率よく正孔が注入されるようになる。
【００５０】
第１の末端基５としては、ブロックコポリマー１を挟む電極の少なくとも一方の電極を構成する材料に応じて適宜選択され、上記のＳＨ基の他、例えば、アルコキシシリル基、リン酸基、またはアミノ基等も用いることが可能である。
また、このブロックコポリマー１は、図１に示すように、好ましくは主鎖の第１の末端基５と反対側の末端に、陰極と相互作用する（結合し得る）第２の末端基７を有している。これにより、第２の末端基７と陰極との相互作用によって、電子輸送部４が陰極（第２の電極）に近接するようになる。また、ブロックコポリマー１を陰極に強固に結合させること、すなわち、有機ＥＬ層と陰極との密着性を向上させることができる。これにより、陰極から電子輸送部４を介して発光部３に効率よく電子が注入されるようになる。
この第２の末端基７としては、陰極の構成材料に応じて適宜選択され、特に限定されないが、陰極の構成材料としては、比較的陽性な、マグネシウム、カルシウム等金属が利用されるので、アミノ基等の窒素原子を含み置換基やアルコキシ基等の酸素原子を含む置換基等のルイス塩基性を有する原子を含む置換基を用いることができる。
【００５１】
また、陰極の構成材料として遷移金属を用いる場合は、上記の置換基の他、−ＳｉＲ２Ｈ、−ＳｉＨ２Ｒ、−ＳｉＨ３（ただし、Ｒは炭化水素基を表す。）等のように、水素原子と当該水素原子に結合した原子との化学結合が遷移金属により活性化されやすい置換基であってもよい。これにより、ブロックコポリマー１と陰極とをより強固に結合させることができる。
【００５２】
なお、ブロックコポリマー１は、第２の末端基７が主鎖の末端に有するものに限定されず、主鎖の電子輸送部４側の端部に有すればよく、また、第２の末端基７を複数有していてもよい。
ブロックコポリマー１の主鎖骨格を構成する結合としては、比較的化学的安定性が高い、炭素−炭素単結合、炭素−炭素２重結合、炭素−酸素結合、ペプチド結合等の炭素−窒素結合、ケイ素−ケイ素単結合が挙げられる。
【００５３】
上記の化学結合の種類のうち炭素−炭素２重結合やケイ素−ケイ素単結合等のように電子を非局在化に寄与し、あるいは、キャリア輸送性が高い結合を主鎖骨格に有することによりキャリアの輸送効率や注入効率は向上する。
このブロックコポリマー１は、ブロックコポリマー１を挟む電極の間の適切な距離を確保するためには、分子量が、重量平均分子量で１００００〜１００００００程度であるのが好ましく、数平均分子量で５０００〜５０００００程度であるのが好ましい。
【００５４】
また、以上のようなブロックコポリマー１において、正孔輸送部２（正孔輸送体２１）と、発光部３（発光体３１）と、電子輸送部４（電子輸送体４１）とは、それぞれ互いに親和性が低いもの（相溶性の低いもの）が好ましい。これにより、各部同士が会合するのを防止または抑制して、有機ＥＬ層（発光素子）の発光効率をより確実に向上させることができる。
かかるブロックコポリマー１の好適な例としては、下記化学式（Ａ）で表されるものが挙げられる。
【００５５】
【化１８】
0004793009.tif 000019
【００５６】
以上のようなブロックコポリマー１は、例えば、次のようにして合成（製造）することができる。
以下、ブロックコポリマー１の合成方法（発光材料の製造方法）について説明する。なお、ここでは、前記化学式（Ａ）で表されるブロックコポリマー１を合成する場合を一例に説明する。
［１］  まず、後述する重合触媒により活性化される化学結合と、重合終了後ＳＨ基に変換するために、保護基としてジニトロフェニルチオエチル基とを有する化合物（Ｂ）を重合開始剤として用意する。
【００５７】
【化１９】
0004793009.tif 000020
【００５８】
化学式（Ｂ）で表される化合物は、例えば、Ｚｈａｎｇらの文献（Ｄ.Ｚｈａｎｇ  ａｎｄ  Ｃ．Ｏｒｔｉｚ，  Ｍａｃｒｏｍｏｌｅｃｕｌｅｓ，  ２００４，３７，４２７１．）に記載されているように、以下の合成経路により合成することができる。
【００５９】
【化２０】
0004793009.tif 000021
【００６０】
［２］  次に、正孔輸送体２１を有する第１のモノマーを用意する。
この第１のモノマーが有する重合基としては、例えば、ビニル基、スチリル基、（メタ）アクリロイル基のような炭素−炭素２重結合を含むもの、ノルボルニル基、エポキシ基、オキセタニル基等の開環反応を生起するもの等が挙げられるが、比較的重合活性が高く、安価という点等では、スチリル基や（メタ）アクリロイル基を含むモノマーを用いることが好ましい。
この第１のモノマーの具体例としては、例えば、下記化学式（Ｃ）で表される化合物等が挙げられる。
【００６１】
【化２１】
0004793009.tif 000022
【００６２】
化学式（Ｃ）で表される化合物は、例えば、以下に示すような合成経路により合成することができる。
【００６３】
【化２２】
0004793009.tif 000023
【００６４】
まず、メトキシベンジルリン酸ジエチルエステルと４−（Ｎ，Ｎ−ジフェニルアミノ）ベンズアルデヒドとを反応させて、４−ジフェニルアミノ−４’−メトキシスチルベンを得る。
具体的には、４−（Ｎ，Ｎ−ジフェニルアミノ）ベンズアルデヒドと、メトキシベンジルリン酸ジエチルエステルと、ジメチルホルムアミドとの混合物を攪拌しつつ、室温下にゆっくりと、ナトリウムメトキシドを滴下する。次に、加熱することにより反応を行った後、反応液を水で希釈し、次いで酢酸で酸性にする。次に、残渣を濾別した後、この残渣をメタノールで洗い、エタノールとジオキサンとの混合溶媒から再結晶する。
【００６５】
次に、４−ジフェニルアミノ−４’−メトキシスチルベンに水素付加して、１−（４−ジフェニルアミノフェニル）−２−（４−メトキシフェニル）エタンを得る。
具体的には、４−ジフェニルアミノ−４’−メトキシスチルベンをジオキサンに溶解し、この溶液にＰｄを含有する炭素粉末と、所定量の水素ガスとを添加する。次に、この反応液から溶媒を留去する。
【００６６】
次に、１−（４−ジフェニルアミノフェニル）−２−（４−メトキシフェニル）エタンを加水分解して、１−（４−ジフェニルアミノフェニル）−２−（４−ヒドロキシフェニル）エタンを得る。
具体的には、１−（４−ジフェニルアミノフェニル）−２−（４−メトキシフェニル）エタンと、スルホランと、ヨウ化ナトリウムとを加熱しつつ攪拌する。次に、この溶液を所定温度にまで冷却した後、蒸留水を添加する。そして、前記溶液に、トリメチルクロロシランをゆっくりと滴下する。次に、加熱することにより反応を行った後、反応液を水に注加して、沈殿物を得る。そして、この沈殿物を水で複数回洗浄し、トルエンに溶解する。次に、このトルエン溶液を飽和硫酸ナトリウム水溶液で数回洗浄した後、無水硫酸マグネシウムで乾燥し、溶媒を留去する。そして、得られた残渣をシリカゲルクロマトグラフィーを用いて精製する。
【００６７】
次に、１−（４−ジフェニルアミノフェニル）−２−（４−ヒドロキシフェニル）エタンと塩化メタクリルとを反応させて、１−（４−ジフェニルアミノフェニル）−２−（４−ヒドロキシフェニル）エタンのアクリル酸エステルを得る。
具体的には、１−（４−ジフェニルアミノフェニル）−２−（４−ヒドロキシフェニル）エタンと、ジオキサンと、所定濃度の水酸化ナトリウム水溶液との混合液を冷却する。この混合液に、室温下に攪拌しつつ塩化アクリロイルを添加し、低温に維持する。滴下終了後、室温下に反応を行った後、反応液を水に注加し、トルエンで抽出する。次に、抽出層を水で数回洗浄し、無水硫酸マグネシウムで乾燥し、溶媒を留去する。そして、得られた残渣をシリカゲルクロマトグラフィーを用いて精製する。
以上のようにして、前記化学式（Ｃ）で表される第１のモノマーが得られる。
【００６８】
［３］  次に、発光体３１を有する第２のモノマーを用意する。
この第２のモノマーが有する重合基としては、前記と同様の理由から、スチリル基や（メタ）アクリロイル基を含むものが好ましい。
この第２のモノマーの具体例としては、例えば、下記化学式（Ｄ）で表される化合物等が挙げられる。
【００６９】
【化２３】
0004793009.tif 000024
【００７０】
なお、化学式（Ｄ）中、ｌは、好ましくは１〜１０の整数、より好ましくは２〜８の整数を表す。
化学式（Ｄ）で表される化合物は、例えば、以下に示すような合成経路により合成することができる。
【００７１】
【化２４】
0004793009.tif 000025
【００７２】
まず、サリチルアルデヒドとマロン酸ジメチルエステルとを反応させて、３−カルボメトキシ−クマリンを得る。
具体的には、サリチルアルデヒドに、モル等量のマロン酸ジメチルエステルと、所定量のメタノールおよびピペリジンとを加え、室温下に放置した後、溶媒を除去し、シリカゲルクロマトグラフィーにより精製する。
【００７３】
次に、得られた３−カルボメトキシ−クマリンとアミノアルコールとを反応させて、Ｎ−ヒドロキシアルキル−クマリン−３−カルボキサミドを得る。
具体的には、３−カルボメトキシ−クマリンとアミノアルコールとを、所定量のベンゼンに加え、攪拌しながら還流する。そして、還流終了後、冷却して種結晶を添加することにより結晶化し、さらに、所定の溶媒を用いて再結晶を繰り返す。
【００７４】
次に、得られたＮ−ヒドロキシアルキル−クマリン−３−カルボキサミドとメタクリル酸とジシクロヘキシルカルボジイミドとを反応させて、Ｎ−ヒドロキシアルキル−クマリン−３−カルボキサミドのメタクリル酸エステルを得る。
具体的には、Ｎ−ヒドロキシアルキル−クマリン−３−カルボキサミドに、４−ジエチルアミノピリジン、４−メトキシフェノールおよびメチレンジクロライドを加えて溶解する。そして、この溶液に、メタクリル酸のメチレンジクロライド溶液と、ジシクロヘキシルカルボジイミドのメチレンジクロライド溶液とを加えて、室温下に放置した後、生成したジシクロヘキシル尿素を濾別等により除去する。そして、濾液から溶媒を除去した後、所定量のベンゼンおよびシクロヘキサンに溶解して放置し、セライトを添加して攪拌した後、セライトを濾別等により除去する。この濾液を冷却した後、上清を除去し、得られた残渣を所定の溶媒に懸濁させ、この懸濁物を室温下に放置する。この間に生成した結晶を回収して、所定の溶媒を用いて再結晶する。
以上のようにして、前記化学式（Ｄ）で表される第２のモノマーが得られる。
【００７５】
［４］  次に、電子輸送体４１を有する第３のモノマーを用意する。
この第３のモノマーが有する重合基としては、前記と同様の理由から、スチリル基や（メタ）アクリロイル基を含むものが好ましい。
この第３のモノマーの具体例としては、例えば、下記化学式（Ｅ）で表される化合物等が挙げられる。
【００７６】
【化２５】
0004793009.tif 000026
【００７７】
化学式（Ｅ）で表される化合物は、例えば、以下に示すように２−フェニル−５−（４−ヒドロキシフェニル）−（１，３，４）オキサジアゾールと塩化メタクリルとを反応させることにより合成することができる。
【００７８】
【化２６】
0004793009.tif 000027
【００７９】
以上のようにして、前記化学式（Ｅ）で表される第３のモノマーが得られる。
［５］  次に、前記化学式（Ｂ）で表される化合物（重合開始剤）を基点として、前記化学式（Ｃ）で表される第１のモノマー、前記化学式（Ｄ）で表される第２のモノマーおよび前記化学式（Ｅ）で表される第３のモノマーを、この順にリビング重合（特に、原子移動ラジカル重合：ＡＴＲＰ）により重合させて（下記化２７に示す経路を経て）、化学式（Ｈ）で表される重合体を合成する。
【００８０】
【化２７】
0004793009.tif 000028
【００８１】
このリビング重合は、重合開始剤と触媒とを含む溶液に、第１のモノマー、第２のモノマーおよび第３のモノマーを順に添加すること等により行うことができる。
触媒には、重合体の生長過程において、生長末端を活性化とすることができるものであればよく、例えば、遷移金属のハロゲン化物、水酸化物、酸化物、アルコキシド、シアン化物、シアン酸塩、チオシアン酸塩、アジド化物等が挙げられるが、ビピリジル、ホスフィン、一酸化炭素等の遷移金属の配位子として一般的なものを有する遷移金属錯体でもよい。遷移金属のハロゲン化物を主成分とするものが好適である。遷移金属のハロゲン化物を主成分とする触媒は、リビング重合に適したものであることから好ましい。また、比較的安価かつ入手が容易であり、また取り扱いが容易であることからも好ましい。
【００８２】
また、遷移金属としては、例えば、Ｃｕ、Ｆｅ、Ａｕ、Ａｇ、Ｈｇ、Ｐｄ、Ｐｔ、Ｃｏ、Ｍｎ、Ｒｕ、Ｍｏ、Ｎｂ、Ｚｎ等が挙げられる。
重合体の合成の反応場として用いる溶媒としては、例えば、水、メタノール、エタノール、ブタノールのようなアルコール類、ｏ−ジクロロベンゼンのようなハロゲン化芳香族炭化水素類、ジエチルエーテルやテトラヒドロフラン等のエーテル類が挙げられ、これらを単独または混合溶媒として用いることができる。
【００８３】
重合開始剤および触媒の存在下で、第１のモノマーを作用させることにより、まず重合開始剤に含まれる結合が触媒により活性化され、第１のモノマーと化合し、重合開始剤の、触媒により活性化された結合に含まれる原子が第１のモノマー側に移動し、触媒により活性化される結合が生長末端として再生する。この状態に第１のモノマーが重合する生長末端を再生しながら主鎖が伸長する。このようにして正孔輸送部２が合成される。
例えば、第１のモノマーとして前記化学式（Ｃ）で表される化合物を用い、触媒としてＣｕＢｒを用いることにより、化学式（Ｆ）に示すような生長末端を有する正孔輸送部２を形成することができる。
【００８４】
次に、前記溶液に第２のモノマーを添加すると、前述したのと同様にして、発光部３が合成される（生成する）。
例えば、第２のモノマーとして前記化学式（Ｄ）で表される化合物を用いることにより、化学式（Ｇ）に示すような生長末端を有する発光部３を形成することができる。
次に、前記溶液に第３のモノマーを添加すると、前述したのと同様にして、電子輸送部４が合成される。
【００８５】
例えば、第３のモノマーとして前記化学式（Ｅ）で表される化合物を用いることにより、化学式（Ｈ）に示すような生長末端を有する電子輸送部４を形成することができる。
ここで、リビング重合では、各部の生長過程において、生長末端が常に重合活性を有するため、モノマーが消費され、重合反応が停止した後、新たにモノマーを加えると重合反応がさらに進行する。
【００８６】
したがって、反応系に供給するモノマーの量を変化させることによって、合成される各部の重合度を精度よく制御することができ、これにより、各部が有する機能体（正孔輸送体２１、発光体３１、電子輸送体４１）の数を精度よく制御することができる。
このようなことから、所望の発光効率（発光特性）を有するブロックコポリマー１を、分子毎のバラツキを抑えつつ、簡易な工程で形成することができる。
【００８７】
前記溶液（反応液）は、重合反応を開始する前に、脱酸素処理を行っておくのが好ましい。脱酸素処理としては、例えば、アルゴンガス、窒素ガス等の不活性ガスによる真空脱気後の置換やパージ処理等が挙げられる。
また、重合反応に際して、上記の溶液の温度を所定の温度（各モノマーおよび触媒が活性化する温度）まで加熱（加温）することにより、各モノマーの重合反応をより迅速かつ確実に行うことができる。
【００８８】
この加熱の温度は、触媒の種類等によっても若干異なり、特に限定されないが、３０〜１００℃程度であるのが好ましい。また、加熱の時間（反応時間）は、加熱の温度を前記範囲とする場合、１０〜２０時間程度であるのが好ましい。
上記のような重合反応は、超音波発生器、攪拌機、還流冷却器、滴下漏斗、温度調節器およびガス供給口を備えた反応容器内で行うのが好ましい。
【００８９】
具体的には、冷却管、アルゴンガス供給手段および攪拌翼が装着された反応容器を用意し、この反応容器内に、触媒（重合触媒）により活性化される化学結合とＳＨ基となる置換基とを有する化合物（重合開始剤）のメタノール溶液を収納し、メタノール溶液にＣｕＢｒ（触媒）および２，２’−ビピリジルを当該触媒の配位子として添加する。そして、この溶液に、第１のモノマーを添加し、前記溶液にアルゴンガスを通じることによって酸素を除去した後、アルゴン雰囲気下、所定温度に加熱し、攪拌しながら所定時間、この温度を維持する。次いで、前記溶液に第２のモノマーを添加して、前記と同様にして反応を行い、その後、さらに第３のモノマーを添加して、前記と同様にして反応を行う。
［６］  次に、化学式（Ｈ）で表される重合体を脱保護した後に、ＳＨ基を導入する。これにより、下記化学式（Ｉ）で表される重合体が得られる。
【００９０】
【化２８】
0004793009.tif 000029
【００９１】
具体的には、化学式（Ｈ）で表される重合体をｐＨ６程度の酸性の脱イオン水に溶解し、メルカプトエタノールを作用させることにより、末端にＳＨ基が導入される。
［７］  次に、前記化学式（Ｉ）で表される重合体のＳＨ基と反対側の末端に、前述したような第２の末端基７を導入して、前記化学式（Ａ）で表されるブロックコポリマー１を得る。
【００９２】
これは、例えば、化学式（Ｉ）で表される重合体と、その生長末端と反応し得る化合物とを反応させることにより行うことができる。
第２の末端基７は、化学式（Ｉ）で表される重合体に、（ジアルキルアミノフェニル）シラン系化合物を作用することにより得られる。
かかる（ジアルキルアミノフェニル）シラン系化合物の具体例としては、例えば、下記化学式（Ｊ）で表されるものが挙げられる。
【００９３】
【化２９】
0004793009.tif 000030
［ただし、式中、Ｒは、アルキル基を表す。］
【００９４】
＜第２実施形態＞
次に、本発明において用いられるブロックコポリマーの第２実施形態について説明する。
図２は、本発明において用いられるブロックコポリマーの第２実施形態の構成を示す模式図である。
【００９５】
以下、ブロックコポリマーの第２実施形態について説明するが、前記第１実施形態との相違点を中心に説明し、同様の事項については、その説明を省略する。
図２に示すブロックコポリマー１は、正孔輸送部２と第１の末端基５との間に、さらに、バッファ部６を備え、それ以外は、前記第１実施形態のブロックコポリマー１と同様である。
【００９６】
このバッファ部６は、正孔（キャリア）の発光部３への注入効率を調整する機能、または陰極（第２の電極）から注入された電子（キャリア）の陽極（第１の電極）への到達を防止または抑制する機能を有するものである。
かかるブロックコポリマー１は、発光部３への正孔および電子の注入速度が適度に調製され、発光効率がより向上する。
【００９７】
バッファ部６は、正孔輸送部２、発光部３および電子輸送部４の組み合わせや、目的に応じて構成（構造）が適宜設定され、特に限定されないが、機能体（正孔輸送体２１、発光体３１、正孔輸送体４１）を含まない分子鎖（炭化水素鎖）が好適である。
かかるバッファ部６（分子鎖）の具体例としては、例えば、ポリスチレン鎖、ポリメチルメタクリレート鎖、ポリエチレングリコール鎖等が挙げられる。
【００９８】
例えば、前記化学式（Ａ）で表されるブロックコポリマーにおいて、正孔輸送部２と第１の末端基５との間に、バッファ部６としてポリスチレン鎖を導入することにより、発光部３への正孔の注入効率を調製することができる。例えば、バッファ部６は電子の陽極への移動を抑制することも可能なので、これにより、このブロックコポリマー１を用いて形成される有機ＥＬ層の発光効率を向上させることができる。
【００９９】
構造単位６２の数ｑは、発光部３のキャリア輸送性、構造単位３２の数ｎ、正孔輸送部２の有無、正孔輸送部２の正孔輸送性、構造単位２２の数ｍ、電子輸送部４の有無、電子輸送部４の電子輸送性、構造単位４２の数ｐ、ブロックコポリマー１の配向、ブロックコポリマー１を挟む電極間の距離、ブロックコポリマー１の膜厚等を適宜考慮して設定することができる。
【０１００】
バッファ部６において、構造単位６２の数ｑは、特に限定されないが、例えば、１００個以上であるのが好ましく、３００個以上であるのがより好ましい。
バッファ部６の主鎖骨格を構成する結合は、比較的化学的安定性が高い、炭素−炭素単結合、炭素−炭素２重結合、炭素−酸素結合、ペプチド結合等の炭素−窒素結合、ケイ素−ケイ素単結合が挙げられる。
【０１０１】
上記の化学結合の種類のうち炭素−炭素２重結合やケイ素−ケイ素単結合等のように電子を非局在化に寄与し、あるいは、キャリア輸送性が高い結合を主鎖骨格に有することによりキャリアの輸送効率や注入効率は向上する。
なお、バッファ部６も、機能体を有さないモノマーを用いて、前述したようなリビング重合により合成することができる。また、その際の条件も前記第１実施形態で説明したのと同様とすることができる。
【０１０２】
以上のようなブロックコポリマー１では、図示の構成と異なり、第１の末端基５と第２の末端基７とが主鎖の反対側の位置に結合していてもよい。
また、正孔輸送部２および電子輸送部４のいずれか一方を省略するようにしてもよい。
なお、バッファ部６は、正孔輸送部２と発光部３との間、陰極と電子輸送部４との間、または、発光部３と電子輸送部４との間等、バッファ部６の機能に応じて適宜配置してもよい。
【０１０３】
＜発光素子＞
次に、本発明の発光素子について説明する。
図３は、本発明の発光素子の実施形態の縦断面を模式的に示す図である。なお、以下では、説明の都合上、図３中の上側を「上」、下側を「下」として説明を行う。
図３に示す発光素子（有機エレクトロルミネッセンス素子）１１は、基板１２上に設けられた陽極１３と、陰極１４と、陽極１３と陰極１４との間に設けられた有機ＥＬ層１５とを有し、その全体が封止部材１６で封止されている。
そして、有機ＥＬ層１５が前述したようなブロックコポリマー１で構成されている。
【０１０４】
基板１２は、発光素子１１の支持体となるものである。本実施形態の発光素子１１は、基板１２側から光を取り出す構成（ボトムエミッション型）であるため、基板１２および陽極１３は、それぞれ、実質的に透明（無色透明、着色透明または半透明）とされている。
基板１２の構成材料としては、例えば、ポリエチレンテレフタレート、ポリエチレンナフタレート、ポリプロピレン、シクロオレフィンポリマー、ポリアミド、ポリエーテルサルフォン、ポリメチルメタクリレート、ポリカーボネート、ポリアリレートのような樹脂材料や、石英ガラス、ソーダガラスのようなガラス材料等が挙げられ、これらのうちの１種または２種以上を組み合わせて用いることができる。
【０１０５】
このような基板１２の平均厚さは、特に限定されないが、０．１〜３０ｍｍ程度であるのが好ましく、０．１〜１０ｍｍ程度であるのがより好ましい。
なお、発光素子１１が基板１２と反対側から光を取り出す構成（トップエミッション型）の場合、基板１２には、透明基板および不透明基板のいずれも用いることができる。
不透明基板としては、例えば、アルミナのようなセラミックス材料で構成された基板、ステンレス鋼のような金属基板の表面に酸化膜（絶縁膜）を形成したもの、樹脂材料で構成された基板等が挙げられる。
【０１０６】
陽極１３は、有機ＥＬ層１５に正孔を注入する電極である。この陽極１３の構成材料としては、仕事関数が大きく、導電性に優れる材料を用いるのが好ましい。
陽極１３の構成材料としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、Ｉｎ３Ｏ３、ＳｎＯ２、Ｓｂ含有ＳｎＯ２、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。
このような陽極１３の平均厚さは、特に限定されないが、１０〜２００ｎｍ程度であるのが好ましく、５０〜１５０ｎｍ程度であるのがより好ましい。
【０１０７】
一方、陰極１４は、有機ＥＬ層１５に電子を注入する電極である。この陰極１４の構成材料としては、仕事関数の小さい材料を用いるのが好ましい。
陰極１４の構成材料としては、例えば、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂ、Ｃｒ、Ｏｙ、Ｎｄまたはこれらを含む合金等が挙げられ、これらのうちの１種または２種以上を組み合わせて（例えば、複数層の積層体等）用いることができる。
【０１０８】
このうち、少なくとも陰極１４の陽極１３側の面付近は、Ｙｂ、Ｃｒ、Ｄｙ、Ｎｄ等の遷移金属またはこれら遷移金属を含む合金で構成するのが好ましい。これにより、前述したようなブロックコポリマー１を陰極１４に強固に結合させることができる。
また、ブロックコポリマー１の両端部がそれぞれ、陽極１３と陰極１４との双方に結合するため、有機ＥＬ層１５の厚さ方向に沿ってブロックコポリマー１が配列（配向）した状態となり、発光部３への正孔および電子の注入効率の向上を図ることができる。
【０１０９】
かかる陰極１４は、その全体が遷移金属で構成されていてもよく、多層積層構成とされ、最も陽極１３側に位置する層が遷移金属で構成されるものでもよい。後者の場合、残りの層は、一般的な導電性材料を用いることができる。また、後者の場合、遷移金属で構成される層の平均厚さは、好ましくは１ｎｍ以下とされる。
このような陰極１４の平均厚さは、特に限定されないが、１００〜１００００ｎｍ程度であるのが好ましく、２００〜５００ｎｍ程度であるのがより好ましい。
なお、本実施形態の発光素子１１は、ボトムエミッション型であるため、陰極１４に、光透過性は、特に要求されない。
陽極１３と陰極１４との間には、これらの双方に接触して、ブロックコポリマー１で構成される有機ＥＬ層１５が設けられている。
【０１１０】
前述したように、ブロックコポリマー１は、１分子中に、発光部３とキャリア輸送部（正孔輸送部２、電子輸送部４）とを有しているので、１層で、発光層およびキャリア輸送層の機能を併せもつ有機ＥＬ層１５を得ることができる。したがって、有機ＥＬ層１５を形成するための工程数を削減することができ、素子の生産性の向上を図ることができる。また、層同士の界面の乱れによる特性劣化を回避することができ、高い発光効率を得ることができる。
【０１１１】
また、このブロックコポリマー１は、主鎖の末端に導入された第１の末端基５と陽極１３との相互作用によって、正孔輸送部２が電子輸送部４よりも、陽極１３に近接する。これにより、陽極１３から正孔輸送部２に効率よく正孔が注入される。
また、このブロックコポリマー１は、必要に応じて、主鎖の第１の末端基５と反対側の末端に第２の末端基７が導入される。この第２の末端基７が陰極１４と相互作用することにより、電子輸送部４が、陰極１４に近接する。これにより、陰極１４から電子輸送部４に効率よく電子が注入される。
【０１１２】
ここで、この有機ＥＬ層１５では、これを厚さ方向に２分割したとき、陽極１３側の領域の全質量に対して６０％以上を正孔輸送部２が占め、一方、陰極１４側の領域の全質量に対して６０％以上を電子輸送部４が占めていることが好ましい。このように、正孔輸送部２が陽極１３付近に局在し、電子輸送部４が陰極１４付近に局在させることにより、発光素子１１の発光効率をより一層向上させることができる。
【０１１３】
なお、このような有機ＥＬ層の厚さは、ブロックコポリマー１の鎖長を調整することにより設定することができる。
封止部材１６は、発光素子１１（陽極１３、有機ＥＬ層１５および陰極１４）を覆うように設けられ、これらを気密的に封止し、酸素や水分を遮断する機能を有する。封止部材１６を設けることにより、発光素子１１の信頼性の向上や、変質・劣化の防止（耐久性向上）等の効果が得られる。
【０１１４】
封止部材１６の構成材料としては、例えば、Ａｌ、Ａｕ、Ｃｒ、Ｎｂ、Ｔａ、Ｔｉまたはこれらを含む合金、酸化シリコン、各種樹脂材料等を挙げることができる。なお、封止部材１６の構成材料として導電性を有する材料を用いる場合には、短絡を防止するために、封止部材１６と発光素子１１との間には、必要に応じて、絶縁膜を設けるのが好ましい。
また、封止部材１６は、平板状として、基板１２と対向させ、これらの間を、例えば熱硬化性樹脂等のシール材で封止するようにしてもよい。
このような発光素子１１は、例えば、次のようにして製造することができる。
以下、発光素子１１の製造方法（本発明の発光素子の製造方法）について説明する。
【０１１５】
［１０］  まず、前述したようにして、ブロックコポリマー１を合成（用意）する（第１の工程）。
［２０］  次に、基板１２を用意し、この基板１２上に陽極１３を形成する。
陽極１３は、例えば、プラズマＣＶＤ、熱ＣＶＤ、レーザーＣＶＤのような化学蒸着法（ＣＶＤ）、真空蒸着、スパッタリング、イオンプレーティング等の乾式メッキ法、電解メッキ、浸漬メッキ、無電解メッキ等の湿式メッキ法、溶射法、ゾル・ゲル法、ＭＯＤ法、金属箔の接合等を用いて形成することができる。
【０１１６】
［３０］  次に、陽極１３上に、有機ＥＬ層１５を形成する（第２の工程）。
有機ＥＬ層１５は、ブロックコポリマー１を溶媒（または分散媒）に溶解（または分散）してなる有機ＥＬ層形成用材料を、陽極１３上に供給した後、乾燥（脱溶媒または脱分散媒）することにより形成することができる。
有機ＥＬ層形成用材料の供給方法としては、例えば、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法等の各種塗布法を用いることができる。かかる塗布法を用いることにより、有機ＥＬ層１５を比較的容易に形成することができる。
【０１１７】
有機ＥＬ層形成用材料の調製に用いる溶媒としては、例えば、硝酸、硫酸、アンモニア、過酸化水素、水、二硫化炭素、四塩化炭素、エチレンカーボネイト等の無機溶媒や、メチルエチルケトン（ＭＥＫ）、アセトン、ジエチルケトン、メチルイソブチルケトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、ジエチレングリコールエチルエーテル（カルビトール）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン、メチルピロリドン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、クロロベンゼン、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル、アクリロニトリル等のニトリル系溶媒、ギ酸、酢酸、トリクロロ酢酸、トリフルオロ酢酸等の有機酸系溶媒のような各種有機溶媒、または、これらを含む混合溶媒等が挙げられる。
【０１１８】
なお、乾燥は、例えば、大気圧または減圧雰囲気中での放置、加熱処理、不活性ガスの吹付け等により行うことができる。
また、本工程に先立って、陽極１３の上面には、酸素プラズマ処理を施すようにしてもよい。これにより、陽極１３の上面を親液性を付与すること、陽極１３の上面に付着する有機物を除去（洗浄）すること、陽極１３の上面付近の仕事関数を調整すること等を行うことができる。
ここで、酸素プラズマ処理の条件としては、例えば、プラズマパワー１００〜８００Ｗ程度、酸素ガス流量５０〜１００ｍＬ／ｍｉｎ程度、被処理部材（陽極１３）の搬送速度０．５〜１０ｍｍ／ｓｅｃ程度、基板１２の温度７０〜９０℃程度とするのが好ましい。
【０１１９】
［４０］  次に、有機ＥＬ層１５上（陽極１３と反対側）に、陰極１４を形成する。
陰極１４は、例えば、真空蒸着法、スパッタリング法、金属箔の接合、金属微粒子インクの塗布および焼成等を用いて形成することができる。
以上のような工程を経て、発光素子１１が得られる。
［５０］  最後に、得られた発光素子１１を覆うように、封止部材１６を被せ、基板１２に接合する。
【０１２０】
以上のような製造方法によれば、有機ＥＬ層１５の形成や、金属微粒子インクを使用する場合は陰極の形成においても、真空装置等の大掛かりな設備を要しないため、発光素子１１の製造時間および製造コストの削減を図ることができる。また、インクジェット法（液滴吐出法）を適用することで、大面積の素子の作製や多色の塗り分けが容易となる。
また、有機ＥＬ層１５は、これを構成するブロックコポリマー１が、発光機能およびキャリア輸送機能を有しているので、１層で、発光層およびキャリア輸送層の機能を発揮することができる。したがって、発光素子１１を製造するための工程数を削減することができ、素子の生産性の向上を図ることができる。
【０１２１】
なお、本発明の発光素子では、有機ＥＬ層と陽極との間、有機ＥＬ層と陰極との間には、それぞれ、任意の目的の層を１層以上設けるようにしてもよい。
このような本発明の発光素子は、例えば光源等として使用することができる。また、複数の発光素子１１をマトリックス状に配置することにより、ディスプレイ装置（本発明の発光装置）を構成することができる。
なお、ディスプレイ装置の駆動方式としては、特に限定されず、アクティブマトリックス方式、パッシブマトリックス方式のいずれであってもよい。
【０１２２】
＜発光装置＞
次に、本発明の発光装置を適用したディスプレイ装置の一例について説明する。
図４は、本発明の発光装置を適用したディスプレイ装置の実施形態を示す縦断面図である。
図４に示すディスプレイ装置１００は、基体２００と、この基体２００上に設けられた複数の発光素子１１とで構成されている。
【０１２３】
基体２００は、基板２１０と、この基板２１０上に形成された回路部２２０とを有している。
回路部２２０は、基板２１０上に形成された、例えば酸化シリコン層からなる保護層２３０と、保護層２３０上に形成された駆動用ＴＦＴ（スイッチング素子）２４０と、第１層間絶縁層２５０と、第２層間絶縁層２６０とを有している。
【０１２４】
駆動用ＴＦＴ２４０は、シリコンからなる半導体層２４１と、半導体層２４１上に形成されたゲート絶縁層２４２と、ゲート絶縁層２４２上に形成されたゲート電極２４３と、ソース電極２４４と、ドレイン電極２４５とを有している。
このような回路部２２０上に、各駆動用ＴＦＴ２４０に対応して、それぞれ、発光素子１１が設けられている。また、隣接する発光素子１１同士は、第１隔壁部３１０および第２隔壁部３２０により区画されている。
【０１２５】
本実施形態では、各発光素子１１の陽極１３は、画素電極を構成し、各駆動用ＴＦＴ２４０のドレイン電極２４５に配線２７０により電気的に接続されている。また、各発光素子１１の陰極１４は、共通電極とされている。
そして、各発光素子１１を覆うように封止部材（図示せず）が基体２００に接合され、各発光素子１１が封止されている。
ディスプレイ装置１００は、単色表示であってもよく、発光体３１の種類が異なるブロックコポリマー１を選択することにより、カラー表示も可能である。
このようなディスプレイ装置（本発明の発光装置）１００は、各種の電子機器に組み込むことができる。
【０１２６】
＜電子機器＞
以下、本発明の電子機器について説明する。
図５は、本発明の電子機器を適用したモバイル型（またはノート型）のパーソナルコンピュータの構成を示す斜視図である。
この図において、パーソナルコンピュータ１１００は、キーボード１１０２を備えた本体部１１０４と、表示部を備える表示ユニット１１０６とにより構成され、表示ユニット１１０６は、本体部１１０４に対しヒンジ構造部を介して回動可能に支持されている。
このパーソナルコンピュータ１１００において、表示ユニット１１０６が備える表示部が前述のディスプレイ装置１００で構成されている。
【０１２７】
図６は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、表示部を備えている。
携帯電話機１２００において、この表示部が前述のディスプレイ装置１００で構成されている。
【０１２８】
図７は、本発明の電子機器を適用したディジタルスチルカメラの構成を示す斜視図である。なお、この図には、外部機器との接続についても簡易的に示されている。
ここで、通常のカメラは、被写体の光像により銀塩写真フィルムを感光するのに対し、ディジタルスチルカメラ１３００は、被写体の光像をＣＣＤ（Ｃｈａｒｇｅ  Ｃｏｕｐｌｅｄ  Ｄｅｖｉｃｅ）などの撮像素子により光電変換して撮像信号（画像信号）を生成する。
【０１２９】
ディジタルスチルカメラ１３００におけるケース（ボディー）１３０２の背面には、表示部が設けられ、ＣＣＤによる撮像信号に基づいて表示を行う構成になっており、被写体を電子画像として表示するファインダとして機能する。
ディジタルスチルカメラ１３００において、この表示部が前述のディスプレイ装置１００で構成されている。
【０１３０】
ケースの内部には、回路基板１３０８が設置されている。この回路基板１３０８は、撮像信号を格納（記憶）し得るメモリが設置されている。
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１３１】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１３２】
なお、本発明の電子機器は、図５のパーソナルコンピュータ（モバイル型パーソナルコンピュータ）、図６の携帯電話機、図７のディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。
以上、本発明の発光素子、発光素子の製造方法、発光装置および電子機器を、図示の実施形態に基づいて説明したが、本発明はこれらに限定されるものでない。
【図面の簡単な説明】
【０１３３】
【図１】ブロックコポリマーの第１実施形態の構成を示す模式図である。
【図２】ブロックコポリマーの第２実施形態の構成を示す模式図である。
【図３】本発明の発光素子の実施形態の縦断面を模式的に示す図である。
【図４】本発明の発光装置を適用したディスプレイ装置の実施形態を示す縦断面図である。
【図５】本発明の電子機器を適用したモバイル型（またはノート型）のパーソナルコンピュータの構成を示す斜視図である。
【図６】本発明の電子機器を適用した携帯電話機（ＰＨＳも含む）の構成を示す斜視図である。
【図７】本発明の電子機器を適用したディジタルスチルカメラの構成を示す斜視図である。
【符号の説明】
【０１３４】
１……ブロックコポリマー  ２……正孔輸送部  ２１……正孔輸送体  ２２……構造単位  ３……発光部  ３１……発光体  ３２……構造単位  ４……電子輸送部  ４１……電子輸送体  ４２……構造単位  ５……第１の末端基  ６……バッファ部  ６２……構造単位  ７……第２の末端基  １１……発光素子  １２……基板  １３……陽極  １４……陰極  １５……有機ＥＬ層  １６……封止部材  １００……ディスプレイ装置  ２００……基体  ２１０……基板  ２２０……回路部  ２３０……保護層  ２４０……駆動用ＴＦＴ  ２４１……半導体層  ２４２……ゲート絶縁層  ２４３……ゲート電極  ２４４……ソース電極  ２４５……ドレイン電極  ２５０……第１層間絶縁層  ２６０……第２層間絶縁層  ２７０……配線  ３１０……第１隔壁部  ３２０……第２隔壁部  １１００……パーソナルコンピュータ  １１０２……キーボード  １１０４……本体部  １１０６……表示ユニット  １２００……携帯電話機  １２０２……操作ボタン  １２０４……受話口  １２０６……送話口  １３００‥‥ディジタルスチルカメラ  １３０２‥‥ケース（ボディー）  １３０４‥‥受光ユニット  １３０６‥‥シャッタボタン  １３０８‥‥回路基板  １３１２‥‥ビデオ信号出力端子  １３１４‥‥データ通信用の入出力端子  １４３０‥‥テレビモニタ  １４４０‥‥パーソナルコンピュータ
【図１】
0004793009.tif 000031
【図２】
0004793009.tif 000032
【図３】
0004793009.tif 000033
【図４】
0004793009.tif 000034
【図５】
0004793009.tif 000035
【図６】
0004793009.tif 000036
【図７】
0004793009.tif 000037